(57)【要約】【課題】通信データを処理する機能部に対して、通信データの処理に必要なパラメータを締め切りタイミングまでに送信すること。【解決手段】無線基地局装置は、通信データを処理する機能部と、通信データの処理に必要なパラメータを機能部に送信するスケジューラと、パラメータが機能部によって受信された受信タイミングを、機能部から受信するとともに、パラメータが機能部によって受信される目標タイミングから当該受信タイミングを差し引いた値を求めてスケジューラに送信するタイミング調整部と、を有し、スケジューラが、機能部にパラメータを送信するタイミングを、タイミング調整部から受信した値に応じて調整する。【選択図】図１
2010278745.tif 000002
【特許請求の範囲】
【請求項１】
通信データを処理する機能部と、
前記通信データの処理に必要なパラメータを前記機能部に送信するスケジューラと、
前記パラメータが前記機能部によって受信された受信タイミングを、前記機能部から受信するとともに、前記パラメータが前記機能部によって受信される目標タイミングから該受信タイミングを差し引いた値を求めて前記スケジューラに送信するタイミング調整部と、を備え、
前記スケジューラは、前記機能部に前記パラメータを送信するタイミングを、前記タイミング調整部から受信した値に応じて調整する無線基地局装置。
【請求項２】
前記スケジューラは、前記機能部に前記パラメータを送信するタイミングを、前記タイミング調整部から受信した値が正である場合には該値だけ遅らせるとともに、該値が負である場合には該値の絶対値だけ早める、請求項１に記載の無線基地局装置。
【請求項３】
前記目標タイミングは、前記パラメータが前記機能部によって受信される締め切りタイミングから所定の非負の調整値を差し引いたものである、請求項１又は２に記載の無線基地局装置。
【請求項４】
前記機能部は、通信データの符号化、復号化、変調及び復調の少なくともいずれかの処理を行う、請求項１乃至３のいずれか１項に記載の無線基地局装置。
【請求項５】
通信データの処理に必要なパラメータを、通信データを処理する機能部に送信する工程と、
前記パラメータが前記機能部によって受信された受信タイミングを、前記機能部から受信する工程と、
前記パラメータが前記機能部によって受信される目標タイミングから前記受信タイミングを差し引いた値を求める工程と、
前記機能部に前記パラメータを送信するタイミングを、前記値に応じて調整するタイミング調整工程と、を含むスケジューリング方法。
【請求項６】
前記タイミング調整工程において、前記機能部に前記パラメータを送信するタイミングを、前記値が正である場合には前記値だけ遅らせるとともに、前記値が負である場合には前記値の絶対値だけ早める、請求項５に記載のスケジューリング方法。
【請求項７】
前記目標タイミングは、前記パラメータが前記機能部によって受信される締め切りタイミングから所定の非負の調整値を差し引いたものである、請求項５又は６に記載のスケジューリング方法。
【請求項８】
前記機能部は、通信データの符号化、復号化、変調及び復調の少なくともいずれかの処理を行う、請求項５乃至７のいずれか１項に記載のスケジューリング方法。
【請求項９】
前記すべての工程をタイムスロットごとに含む、請求項５乃至８のいずれか１項に記載のスケジューリング方法。
【請求項１０】
通信データの処理に必要なパラメータを、通信データを処理する機能部に送信する処理と、
前記パラメータが前記機能部によって受信された受信タイミングを、前記機能部から受信する処理と、
前記パラメータが前記機能部によって受信される目標タイミングから前記受信タイミングを差し引いた値を求める処理と、
前記機能部に前記パラメータを送信するタイミングを、前記値に応じて調整するタイミング調整処理と、をコンピュータに実行させるプログラム。
【請求項１１】
前記タイミング調整処理において、前記機能部に前記パラメータを送信するタイミングを、前記値が正である場合には前記値だけ遅らせるとともに、前記値が負である場合には前記値の絶対値だけ早める処理をコンピュータに実行させる、請求項１０に記載のプログラム。
【請求項１２】
前記目標タイミングは、前記パラメータが前記機能部によって受信される締め切りタイミングから所定の非負の調整値を差し引いたものである、請求項１０又は１１に記載のプログラム。
【請求項１３】
前記機能部は、通信データの符号化、復号化、変調及び復調の少なくともいずれかの処理を行う、請求項１０乃至１２のいずれか１項に記載のプログラム。
【請求項１４】
前記すべての処理をタイムスロットごとにコンピュータに実行させる、請求項１０乃至１３のいずれか１項に記載のプログラム。
【発明の詳細な説明】
【技術分野】
【０００１】
本発明は、無線基地局装置、スケジューリング方法及びプログラムに関する。
【背景技術】
【０００２】
無線通信における高速データ伝送を実現する方式として、下り高速パケット伝送方式が知られている。下り高速パケット伝送方式とは、高速大容量な下りチャネルを複数の通信端末装置が共有し、パケット伝送を行う方式であり、一例として、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）が知られている。
【０００３】
また、次世代移動通信の無線通信方式として、複数の送信アンテナから同一の周波数、時間を用いて信号を送信し、複数の受信アンテナを用いて信号の復調（信号分離）を行うＭＩＭＯ（Ｍｕｌｔｉｐｌｅ  Ｉｎｐｕｔ  Ｍｕｌｔｉｐｌｅ  Ｏｕｔｐｕｔ）多重方式が知られている。
【０００４】
さらに、これらの高速データ転送を効率よく実現するために、スケジューリング技術が用いられている。スケジューリング技術とは、基地局装置が、データを送信する対向の端末局を、時分割単位で（タイムスロット毎に）割り当てて、当該端末局と通信を行う技術をいう。
【発明の概要】
【発明が解決しようとする課題】
【０００５】
スケジューリングは、タイムスロット毎に行われることから、スケジューリングを行うスケジューラは、スケジューリングに伴うユーザ情報及び制御情報を、締め切りタイミングまでに各機能部へ設定する必要がある。しかし、スケジューラと各機能部との間の通信は、機能部同士の通信と同一のバスを介して行われる場合がある。かかる場合において、バスが機能部同士の通信に使用されているときには、スケジューリングに伴うユーザ情報及び制御情報を、締め切りタイミングまでに各機能部に設定することができず、誤ったスケジューリングが行われ、スループットが低下する。
【０００６】
そこで、通信データを処理する機能部に対して、通信データの処理に必要なパラメータを締め切りタイミングまでに送信することが課題となる。ここで、通信データの処理に必要なパラメータは、スケジューリングに伴うユーザ情報及び制御情報を含み、例えば、機能部が符号化処理を行う場合には、通信データのビット数や符号化のためのパラメータを含む。本発明の目的は、かかる課題を解決する無線基地局装置、スケジューリング方法及びプログラムを提供することにある。
【課題を解決するための手段】
【０００７】
本発明の第１の視点に係る無線基地局装置は、
通信データを処理する機能部と、
通信データの処理に必要なパラメータを機能部に送信するスケジューラと、
パラメータが機能部によって受信された受信タイミングを、機能部から受信するとともに、パラメータが機能部によって受信される目標タイミングから当該受信タイミングを差し引いた値を求めてスケジューラに送信するタイミング調整部と、を有し、
スケジューラは、機能部にパラメータを送信するタイミングを、タイミング調整部から受信した値に応じて調整する。
【０００８】
本発明の第２の視点に係るスケジューリング方法は、
通信データの処理に必要なパラメータを、通信データを処理する機能部に送信する工程と、
パラメータが機能部によって受信された受信タイミングを、機能部から受信する工程と、
パラメータが機能部によって受信される目標タイミングから前記受信タイミングを差し引いた値を求める工程と、
機能部にパラメータを送信するタイミングを、前記値に応じて調整するタイミング調整工程と、を含む。
【０００９】
本発明の第３の視点に係るプログラムは、
通信データの処理に必要なパラメータを、通信データを処理する機能部に送信する処理と、
パラメータが機能部によって受信された受信タイミングを、機能部から受信する処理と、
パラメータが機能部によって受信される目標タイミングから前記受信タイミングを差し引いた値を求める処理と、
機能部にパラメータを送信するタイミングを、前記値に応じて調整するタイミング調整処理と、をコンピュータに実行させる。
【発明の効果】
【００１０】
本発明に係る無線基地局装置、スケジューリング方法及びプログラムによると、通信データを処理する機能部に対して、通信データの処理に必要なパラメータを締め切りタイミングまでに送信することができる。
【図面の簡単な説明】
【００１１】
【図１】本発明の第１の実施形態に係る無線基地局装置の構成を示すブロック図である。
【図２】本発明の第１の実施形態に係る無線基地局装置の動作を示すフローチャートである。
【図３】本発明の第２の実施形態に係る無線基地局装置の構成を示すブロック図である。
【図４】本発明の第２の実施形態に係る無線基地局装置の動作について説明するための図である。
【発明を実施するための形態】
【００１２】
第１の展開形態の無線基地局装置は、上記第１の視点に係る無線基地局装置であることが好ましい。
【００１３】
第２の展開形態の無線基地局装置は、スケジューラが、機能部にパラメータを送信するタイミングを、タイミング調整部から受信した値が正である場合には当該値だけ遅らせるとともに、当該値が負である場合には当該値の絶対値だけ早めることが好ましい。
【００１４】
第３の展開形態の無線基地局装置において、目標タイミングは、パラメータが機能部によって受信される締め切りタイミングから所定の非負の調整値を差し引いたものであってもよい。
【００１５】
第４の展開形態の無線基地局装置は、機能部が、通信データの符号化、復号化、変調及び復調の少なくともいずれかの処理を行うようにしてもよい。
【００１６】
第５の展開形態のスケジューリング方法は、上記第２の視点に係るスケジューリング方法であることが好ましい。
【００１７】
第６の展開形態のスケジューリング方法は、タイミング調整工程において、機能部にパラメータを送信するタイミングを、前記値が正である場合には前記値だけ遅らせるとともに、前記値が負である場合には前記値の絶対値だけ早めることが好ましい。
【００１８】
第７の展開形態のスケジューリング方法において、目標タイミングは、パラメータが機能部によって受信される締め切りタイミングから所定の非負の調整値を差し引いたものであってもよい。
【００１９】
第８の展開形態のスケジューリング方法は、機能部が、通信データの符号化、復号化、変調及び復調の少なくともいずれかの処理を行うようにしてもよい。
【００２０】
第９の展開形態のスケジューリング方法は、上記すべての工程をタイムスロットごとに含むようにしてもよい。
【００２１】
第１０の展開形態のプログラムは、上記第３の視点に係るプログラムであることが好ましい。
【００２２】
第１１の展開形態のプログラムは、タイミング調整処理において、機能部にパラメータを送信するタイミングを、前記値が正である場合には前記値だけ遅らせるとともに、前記値が負である場合には前記値の絶対値だけ早める処理をコンピュータに実行させることが好ましい。
【００２３】
第１２の展開形態のプログラムにおいて、目標タイミングは、パラメータが機能部によって受信される締め切りタイミングから所定の非負の調整値を差し引いたものであってもよい。
【００２４】
第１３の展開形態のプログラムは、機能部が、通信データの符号化、復号化、変調及び復調の少なくともいずれかの処理を行うようにしてもよい。
【００２５】
第１４の展開形態のプログラムは、上記すべての処理をタイムスロットごとにコンピュータに実行させるようにしてもよい。
【００２６】
（実施形態１）
次に、本発明の第１の実施形態に係る無線基地局装置３０について図面を参照して説明する。図１は、本実施形態に係る無線基地局装置３０の構成を示すブロック図である。
【００２７】
図１を参照すると、無線基地局装置３０は、機能部４０、スケジューラ３４及びタイミング調整部３５を有している。
【００２８】
機能部４０は、通信データを処理する。
【００２９】
スケジューラ３４は、通信データの処理に必要なパラメータを機能部４０に送信する。
【００３０】
タイミング調整部３５は、パラメータが機能部４０によって受信された受信タイミングを、機能部４０から受信するとともに、パラメータが機能部４０によって受信される目標タイミングから当該受信タイミングを差し引いた値を求めてスケジューラ３４に送信する。
【００３１】
スケジューラ３４は、機能部４０にパラメータを送信するタイミングを、タイミング調整部３５から受信した値に応じて調整する。スケジューラ３４は、機能部４０にパラメータを送信するタイミングを、タイミング調整部３５から受信した値が正である場合には当該値だけ遅らせるとともに、当該値が負である場合には当該値の絶対値だけ早めるようにすることが好ましい。
【００３２】
目標タイミングは、パラメータが機能部４０によって受信される締め切りタイミングから所定の非負の調整値を差し引いたものであってもよい。
【００３３】
機能部４０は、通信データの符号化、復号化、変調及び復調の少なくともいずれかの処理を行うようにしてもよい。
【００３４】
本実施形態に係る無線基地局装置３０の動作について、図面を参照して説明する。図３は、本実施形態の無線基地局装置３０の動作を示すフローチャートである。
【００３５】
図３を参照すると、スケジューラ３４は、通信データの処理に必要なパラメータを、通信データを処理する機能部４０に送信する（ステップＳ１１）。
【００３６】
タイミング調整部３５は、パラメータが機能部４０によって受信された受信タイミングを、機能部から受信する（ステップＳ１２）。
【００３７】
タイミング調整部３５は、パラメータが機能部４０によって受信される目標タイミングから上記の受信タイミングを差し引いた値を求めてスケジューラ３４に送信する（ステップＳ１３）。
【００３８】
スケジューラ３４は、機能部４０にパラメータを送信するタイミングを、上記値に応じて調整する（ステップＳ１４）。
【００３９】
なお、ステップＳ１１〜Ｓ１４のすべての工程をタイムスロットごとに含むようにしてもよい。
【００４０】
（実施形態２）
次に、本発明の第２の実施形態に係る無線基地局装置１０について図面を参照して説明する。図３は、本実施形態に係る無線基地局装置１０の構成を示すブロック図である。
【００４１】
図３を参照すると、無線基地局装置１０は、チャネル符号化部１１、データ変調部１２、無線送信部１３、スケジューラ１４、タイミング調整部１５、無線受信部１６、データ復調部１７及びチャネル復号部１８を有している。なお、上記第１の実施形態における機能部４０は、本実施形態における機能部２０に相当し、機能部２０は、チャネル符号化部１１、データ変調部１２、データ復調部１７及びチャネル復号部１８を含む。
【００４２】
チャネル符号化部１１は、スケジューラ１４から通知されるユーザ送信データのビット数や符号化のためのパラメータを用いて、ユーザ送信データをチャネル符号化する。データ変調部１２は、スケジューラ１４から通知される変調方式に応じて符号化されたデータを変調する。無線送信部１３は、変調されたデータを、デジタルアナログ変換、直交変調、及びアップコンバート処理し、送信アンテナを介して出力する。
【００４３】
無線受信部１６は、受信アンテナを介して受信した信号を、ダウンコンバート処理、直交復調、及びアナログデジタル変換する。データ復調部１７は、スケジューラ１４から通知される変調方式に応じて受信信号を復調する。チャネル復号部１８は、スケジューラ１４から通知されるユーザ信号のビット数や復号のためのパラメータを用いて復調されたデータを復号してユーザ受信信号とする。
【００４４】
チャネル符号化部１１、データ変調部１２、データ復調部１７及びチャネル復号部１８は、スケジューラ１４から通知されるパラメータの受信タイミングを、タイミング調整部１５に通知する。
【００４５】
タイミング調整部１５は、各機能部から通知されたパラメータの受信タイミングを用い、チャネル符号化部１１、データ変調部１２、データ復調部１７、チャネル復号部１８に対するパラメータを設定するタイミングを適応的に変化させるためのタイミング調整値をスケジューラ１４へ通知する。
【００４６】
スケジューラ１４は、タイミング調整部１５から通知されたタイミング調整値を用いて、各機能部にパラメータを設定するタイミングを求め、当該設定タイミングにしたがってパラメータを設定する。
【００４７】
次に、本実施形態に係る無線基地局装置１０の動作について、図面を参照して説明する。
【００４８】
ここでは、チャネル符号化部１１にパラメータを設定する動作を記述する。データ変調部１２、データ復調部１７及びデータ復号部１８のそれぞれに対してパラメータを設定する動作についても同様である。
【００４９】
チャネル符号化部１１は、スケジューラ１４からパラメータを受信したタイミングであるパラメータ受信タイミングｔＲＸを、タイミング調整部１５に通知する。
【００５０】
タイミング調整部１５は、チャネル符号化部１１の設定締め切りタイミングｔＤをあらかじめ保持し、設定目標タイミングｔＴＧを下式より求める。
ｔＴＧ＝ｔＤ−α
ただし、α≧０である。
【００５１】
ここで、αは設定目標タイミング調整値である。
【００５２】
続いて、タイミング調整部１５は、設定タイミング調整値Δｔを以下の式、
Δｔ＝ｔＴＧ−ｔＲＸ
によって求め、スケジューラ１４に通知する。
【００５３】
スケジューラ１４は、設定タイミング調整値Δｔが正であれば前タイムスロットのパラメータ設定タイミングをΔｔだけ早める。一方、Δｔが負であれば前タイムスロットのパラメータ設定タイミングをΔｔだけ遅くする。図４に上記符号の説明図を示す。ここで、パラメータ受信タイミングｔＲＸ、設定締め切りタイミングｔＤ及び設定目標タイミングｔＴＧは、それぞれ前タイムスロットの境界を基準としている。
【００５４】
無線基地局装置１０によると、スケジューリングによるユーザ情報や制御情報が各機能部の締め切りタイミングまでに転送することができる。無線基地局装置１０において、スケジューラ１４によるパラメータ設定のタイミングを、各機能部がパラメータを受信したタイミングを用いて適応的に変化させることで、パラメータ設定の締め切りタイミングまでにパラメータの転送を完了することができるからである。
【符号の説明】
【００５５】
１０、３０  無線基地局装置
１１  チャネル符号化部
１２  データ変調部
１３  無線送信部
１４、３４  スケジューラ
１５、３５  タイミング調整部
１６  無線受信部
１７  データ復調部
１８  チャネル復号部
２０、４０  機能部
ｔＤ  設定締め切りタイミング
ｔＲＸ  パラメータ受信タイミング
ｔＴＧ  設定目標タイミング
Δｔ  設定タイミング調整値
α  設定目標タイミング調整値
【図１】
2010278745.tif 000003
【図２】
2010278745.tif 000004
【図３】
2010278745.tif 000005
【図４】
2010278745.tif 000006